(57)【要約】【課題】空の医療用バッグに安定的に液状物を注入でき、使用しない時には簡単に小型化できる医療用バッグ架台を提供する。【解決手段】医療用バッグが医療用バッグ懸吊台３０に吊り下げられる。医療用バッグ懸吊台は水平方向に分割された少なくとも２つの懸吊台片３０Ｌ，３０Ｒを備える。互いに隣り合う２つの懸吊台片がそれらの間の連結軸３０Ｌ２，３０Ｒ２を回動中心として互いに重なり合うように回動可能である。２つの懸吊台片が互いに重なり合ったときに、２つの懸吊台片が離れないようにロックするロック機構４０，５０が設けられている。【選択図】図１
2008173302.tif 000002
【特許請求の範囲】
【請求項１】
水平方向に延設され、医療用バッグが吊り下げられる医療用バッグ懸吊台を備えた医療用バッグ架台であって、
前記医療用バッグ懸吊台は水平方向に分割された少なくとも２つの懸吊台片を備え、
互いに隣り合う２つの前記懸吊台片がそれらの間の連結軸を回動中心として互いに重なり合うように回動可能であり、
互いに隣り合う前記２つの懸吊台片が互いに重なり合ったときに、前記２つの懸吊台片が離れないようにロックするロック機構を更に備えることを特徴とする医療用バッグ架台。
【請求項２】
前記連結軸を上方に持ち上げると、重力により前記連結軸の両側の前記２つの懸吊台片が前記連結軸を回動中心として互いに重なり合うように回動する請求項１に記載の医療用バッグ架台。
【請求項３】
互いに隣り合う前記２つの懸吊台片が互いに重なり合ったときに、前記ロック機構によるロックが重力を利用して自動的に行われる請求項１に記載の医療用バッグ架台。
【請求項４】
前記ロック機構によるロックを解除する際、互いに重なり合った前記２つの懸吊台片が離間するように、前記ロック機構は前記２つの懸吊台片を回動させる請求項１に記載の医療用バッグ架台。
【請求項５】
前記ロック機構はロック片を含み、前記ロック片が移動することにより前記ロック機構によるロック及びその解除が行われ、前記ロック片は前記ロック機構によるロック状態が保持されるように付勢されている請求項１に記載の医療用バッグ架台。
【請求項６】
前記少なくとも２つの懸吊台片のそれぞれの水平方向の両端を支持する少なくとも３つの側面板と、互いに隣り合う前記側面板の間に架け渡された少なくとも２つの支持バーとを更に備え、
前記側面板に対して前記懸吊台片及び前記支持バーはいずれも回動可能に接続されており、
前記ロック機構は前記支持バーに設けられている請求項１に記載の医療用バッグ架台。
【請求項７】
互いに隣り合う２つの前記支持バーのうちの一方の支持バーは、その長手方向に移動可能に保持されたロック片を備え、
他方の支持バーは、前記ロック片のロック爪と係合する係合部を備える請求項６に記載の医療用バッグ架台。
【請求項８】
前記ロック片は略三角柱状突起を有し、前記ロック機構がロック状態のときに前記略三角柱状突起の第１側面が前記係合部の第１当接面と当接する請求項７に記載の医療用バッグ架台。
【請求項９】
前記第１側面は前記一方の支持バーの長手方向と平行であり、前記第１当接面は前記他方の支持バーの長手方向と平行である請求項８に記載の医療用バッグ架台。
【請求項１０】
前記係合部は、前記他方の支持バーの長手方向に対して傾斜した第２当接面を有し、
前記ロック片が前記係合部と係合して前記ロック機構によるロック動作が完了する直前に、前記第２当接面は、前記ロック片の前記略三角柱状突起の第２側面に当接して、前記ロック片を移動させる請求項８に記載の医療用バッグ架台。
【請求項１１】
前記他方の支持バーは、その長手方向に対して傾斜した第３当接面を有し、
前記ロック機構によるロックを解除する際に、前記ロック片の前記略三角柱状突起の第３側面と前記第３当接面とが当接して、前記一方の支持バーと前記他方の支持バーとを互いに離間させるような押力が発生する請求項８に記載の医療用バッグ架台。
【請求項１２】
水平方向に延設され、漏斗を保持する漏斗保持台と、前記漏斗保持台を回動させる回動機構と、前記漏斗保持台を上下方向に案内する上下方向案内機構とを更に備え、
前記漏斗保持台は水平方向に分割された少なくとも２つの保持台片を備え、
互いに隣り合う２つの前記保持台片がそれらの間の連結軸を回動中心として互いに重なり合うように回動可能である請求項１〜１１のいずれかに記載の医療用バッグ架台。
【発明の詳細な説明】
【技術分野】
【０００１】
本発明は、空の医療用バッグに液状物を分注する際に使用される医療用バッグ架台に関する。
【背景技術】
【０００２】
経口によらずに患者に栄養や薬剤を投与する方法として経腸栄養法や静脈栄養法が知られている。経腸栄養法では、患者の鼻腔から胃又は十二指腸にまで通されたチューブを介して栄養剤、流動食、又は薬剤などの液状物が投与される。また、静脈栄養法では、患者の静脈に挿入された輸液ラインを介してブドウ糖などの栄養成分や薬剤成分を含む液状物（一般に「輸液」と呼ばれる）が投与される。
【０００３】
経腸栄養法や静脈栄養法を行う際には、患者に投与する液状物を空の医療用バッグに予め注入する作業が必要である。
【０００４】
図１６は、従来の医療用バッグの一例の概略構成を示した正面図である。この医療用バッグ９００は、パウチ９１０と、パウチ９１０内に液状物を注入し、またパウチ９１０内に収納された液状物を取り出すための貫通孔９２１が形成されたポート９２０とを備えている。パウチ９１０は、柔軟な２枚のシートを重ね合わせて、その周縁のシール領域９１１にて接合してなる袋状物である。パウチ９１０の、ポート９２０が取り付けられた位置から最も遠い位置近傍のシール領域９１１内に開口９１２が形成されている。ポート９２０はパウチ９１０に比べて相対的に硬い樹脂材料からなる。ポート９２０をパウチ９１０を構成する２枚のシートの周縁間に挟んでヒートシールすることにより、ポート９２０とパウチ９１０とが一体化されている。
【０００５】
空の医療用バッグ９００への液状物の注入は例えば以下のようにして行われる。ポート９２０を一方の手で持ち、ポート９２０の貫通孔９２１に漏斗を挿入する。そして、他方の手で液状物を収納した容器を持ち、漏斗内に液状物を注ぎ込む。所定量の液状物が医療用バッグ９００に注入されると、容器を置き、ポート９２０から漏斗を抜き取る。そして、ポート９２０にキャップを取り付けて貫通孔９２１を塞ぐ。
【特許文献１】特開２００５−２０６２２１号公報
【発明の開示】
【発明が解決しようとする課題】
【０００６】
上記の従来の医療用バッグへの液状物の注入作業では、液状物の注入作業の開始から終了まで、一方の手で常に医療用バッグ９００のポート９２０を持ち続けていなければならない。即ち、一方の手で医療用バッグ９００のポート９２０を持った状態で、他方の手で、漏斗の挿入、液状物の注入、漏斗の抜き取り、キャップの取り付けを順に行う必要がある。
【０００７】
従って、例えば、液状物の注入時は、一方の手で漏斗が挿入されたポートを持ち、他方の手で注入しようとする液状物が収納された容器を持つ必要があるので、両手がふさがった非常に不安定な状態で液状物を注入することを強いられ、液状物をこぼしてしまったりするという課題がある。
【０００８】
特許文献１には、有底のスタンディングパウチ形状の医療用バッグが開示されている。この医療用バッグであれば、机などの上に医療用バッグを自立させた状態で液状物を注入することができる。しかしながら、この場合にも、医療用バッグは柔軟であるので、液状物を注入する際にはその注入用ポートを一方の手で支持し続ける必要がある。
【０００９】
医療用バッグに液状物を注入する際に、医療用バッグを手で支持するのではなく、治具を用いて保持することが考えられる。しかしながら、そのような治具は、使用しない時には他の作業の邪魔にならないように小型化できることが望まれる。また、小型化は簡単な方法で実現できることが望まれる。更に、小型化された治具が意図せずに展開するのを防止する機構を備えていることが望まれる。
【００１０】
本発明は、上記の従来の課題を解決し、空の医療用バッグに安定的に液状物を注入することができ、使用しない時には簡単に小型化することができ、小型化後は意図せずに展開することがない医療用バッグ架台を提供することを目的とする。
【課題を解決するための手段】
【００１１】
本発明の医療用バッグ架台は、水平方向に延設され、医療用バッグが吊り下げられる医療用バッグ懸吊台を備えた医療用バッグ架台であって、前記医療用バッグ懸吊台は水平方向に分割された少なくとも２つの懸吊台片を備える。互いに隣り合う２つの前記懸吊台片がそれらの間の連結軸を回動中心として互いに重なり合うように回動可能である。互いに隣り合う前記２つの懸吊台片が互いに重なり合ったときに、前記２つの懸吊台片が離れないようにロックするロック機構を更に備えることを特徴とする。
【発明の効果】
【００１２】
本発明の医療用バッグ架台は、医療用バッグを吊り下げることができる医療用バッグ懸吊台を備えるので、医療用バッグに液状物を注入する際に作業者が医療用バッグを保持し続ける必要がない。従って、液状物の注入作業を安定して行うことができる。
【００１３】
また、医療用バッグ懸吊台は水平方向に分割された少なくとも２つの懸吊台片を備え、互いに隣り合う２つの懸吊台片がそれらの間の連結軸を回動中心として互いに重なり合うように回動可能である。従って、使用しない時には医療用バッグ架台を簡単に折り畳んで小型化することができる。
【００１４】
更に、互いに隣り合う２つの懸吊台片が互いに重なり合ったときに、２つの懸吊台片が離れないようにロックするロック機構が設けられているので、医療用バッグ架台を折り畳んだ後は意図せずに展開することがない。
【発明を実施するための最良の形態】
【００１５】
本発明の上記の医療用バッグ架台において、前記連結軸を上方に持ち上げると、重力により前記連結軸の両側の前記２つの懸吊台片が前記連結軸を回動中心として互いに重なり合うように回動することが好ましい。これにより、重力を利用して医療用バッグ架台を自動的に折り畳むことができる。
【００１６】
互いに隣り合う前記２つの懸吊台片が互いに重なり合ったときに、前記ロック機構によるロックが重力を利用して自動的に行われることが好ましい。これにより、医療用バッグ架台を折り畳んだ後のロック忘れを防止できる。
【００１７】
前記ロック機構によるロックを解除する際、互いに重なり合った前記２つの懸吊台片が離間するように、前記ロック機構は前記２つの懸吊台片を回動させることが好ましい。これにより、ロックを解除すると同時に医療用バッグ架台が僅かに展開されるので、折り畳まれた医療用バッグ架台を展開する作業が容易である。
【００１８】
前記ロック機構はロック片を含み、前記ロック片が移動することにより前記ロック機構によるロック及びその解除が行われ、前記ロック片は前記ロック機構によるロック状態が保持されるように付勢されていることが好ましい。これにより、ロック機能によるロック状態が意図せずに解除されるのを防止することが出来る。
【００１９】
本発明の上記の医療用バッグ架台は、前記少なくとも２つの懸吊台片のそれぞれの水平方向の両端を支持する少なくとも３つの側面板と、互いに隣り合う前記側面板の間に架け渡された少なくとも２つの支持バーとを更に備えることが好ましい。この場合、前記側面板に対して前記懸吊台片及び前記支持バーはいずれも回動可能に接続されており、前記ロック機構は前記支持バーに設けられていることが好ましい。これにより、簡単な構成で医療用バッグ架台にロック機構を搭載することができる。
【００２０】
この場合において、互いに隣り合う２つの前記支持バーのうちの一方の支持バーは、その長手方向に移動可能に保持されたロック片を備え、他方の支持バーは、前記ロック片のロック爪と係合する係合部を備えることが好ましい。これにより、簡単な構成でロック機構を実現することができる。
【００２１】
前記ロック片は略三角柱状突起を有し、前記ロック機構がロック状態のときに前記略三角柱状突起の第１側面が前記係合部の第１当接面と当接することが好ましい。これにより、第１側面と第１当接面とが面接触することで発生する摩擦力を利用してロック機構によるロック状態が意図せずに解除されるのを防止できる。
【００２２】
前記第１側面は前記一方の支持バーの長手方向と平行であり、前記第１当接面は前記他方の支持バーの長手方向と平行であることが好ましい。これにより、折り畳まれた医療用バッグ架台をロック機構によるロックを解除せずに展開しようとしたとき、第１側面及び第１当接面は、互いに相手方からその面の法線方向の押力を受ける。従って、意図しないロックの解除を防止することが出来る。また、２つの支持バーの長手方向が上下方向と平行になるように医療用バッグ架台が折り畳まれたとき、重力を利用してロック機構によるロック動作を自動的に行わせることが出来る。
【００２３】
前記係合部は、前記他方の支持バーの長手方向に対して傾斜した第２当接面を有することが好ましい。この場合、前記ロック片が前記係合部と係合して前記ロック機構によるロック動作が完了する直前に、前記第２当接面は、前記ロック片の前記略三角柱状突起の第２側面に当接して、前記ロック片を移動させることが好ましい。これにより、医療用バッグ架台が折り畳まれたときにロック機構によるロック動作を確実に行わせることが出来る。
【００２４】
前記他方の支持バーは、その長手方向に対して傾斜した第３当接面を有することが好ましい。この場合、前記ロック機構によるロックを解除する際に、前記ロック片の前記略三角柱状突起の第３側面と前記第３当接面とが当接して、前記一方の支持バーと前記他方の支持バーとを互いに離間させるような押力が発生することが好ましい。これにより、ロックを解除すると同時に医療用バッグ架台が僅かに展開されるので、折り畳まれた医療用バッグ架台を展開する作業が容易である。
【００２５】
本発明の上記の医療用バッグ架台は、水平方向に延設され、漏斗を保持する漏斗保持台と、前記漏斗保持台を回動させる回動機構と、前記漏斗保持台を上下方向に案内する上下方向案内機構とを更に備えることが好ましい。この場合、前記漏斗保持台は水平方向に分割された少なくとも２つの保持台片を備えることが好ましい。そして、互いに隣り合う２つの前記保持台片がそれらの間の連結軸を回動中心として互いに重なり合うように回動可能であることが好ましい。これにより、漏斗保持台に漏斗を保持させることができるので、医療用バッグに液状物を注入する際に作業者が漏斗を保持し続ける必要がない。また、漏斗を保持させた漏斗保持台を回動機構及び上下方向案内機構を用いて移動させることにより、複数の医療用バッグに液状物を繰り返して注入する作業を効率良く行うことが出来る。更に、このような効果を有する医療用バッグ架台を、使用しない時には簡単に折り畳んで小型化することができる。
【００２６】
以下、本発明の医療用バッグ架台を好適な実施形態を示しながら詳細に説明する。
【００２７】
図１は、本発明の一実施形態に係る医療用バッグ架台１の概略構成を示した斜視図である。以下の説明の便宜のために、図示したように、医療用バッグ架台１の幅方向軸をＸ軸、奥行き方向軸をＹ軸、上下方向軸をＺ軸とするＸＹＺ直交座標系を設定する。図示した矢印の向きを、Ｘ軸、Ｙ軸、及びＺ軸の正の向きとする。Ｘ軸の正の側を右側、負の側を左側と呼び、Ｙ軸の正の側を後側、負の側を前側と呼び、Ｚ軸の正の側を上側、負の側を下側と呼ぶ。
【００２８】
Ｙ軸及びＺ軸を含む面（以下「ＹＺ面」という）と平行な３つの側面板１０Ｌ，１０Ｃ，１０Ｒが、Ｘ軸方向に互いに略等間隔で配置されている。
【００２９】
Ｘ軸方向に延びた医療用バッグ懸吊台３０が３つの側面板１０Ｌ，１０Ｃ，１０Ｒの上端に架け渡されて支持されている。医療用バッグ懸吊台３０は、側面板１０Ｌと側面板１０Ｃとの間に架け渡された左懸吊台片３０Ｌと、側面板１０Ｒと側面板１０Ｃとの間に架け渡された右懸吊台片３０Ｒとからなる。左懸吊台片３０Ｌは、側面板１０Ｌに対して、Ｙ軸と平行な連結軸３０Ｌ１を回動中心として回動可能であり、側面板１０Ｃに対して、Ｙ軸と平行な連結軸３０Ｌ２を回動中心として回動可能である。同様に、右懸吊台片３０Ｒは、側面板１０Ｒに対して、Ｙ軸と平行な連結軸３０Ｒ１を回動中心として回動可能であり、側面板１０Ｃに対して、Ｙ軸と平行な連結軸３０Ｒ２を回動中心として回動可能である。
【００３０】
医療用バッグ懸吊台３０の前側の端縁には、医療用バッグを吊り下げるための４つの切り欠き３１が形成されている。医療用バッグ懸吊台３０の上面には、各切り欠き３１の近傍に４つの凹部３２が形成されている。
【００３１】
一対の支持バー２１Ｌ，２２Ｌが互いに隣り合う側面板１０Ｌ，１０Ｃの下端間を連結しており、一対の支持バー２１Ｒ，２２Ｒが互いに隣り合う側面板１０Ｃ，１０Ｒの下端間を連結している。一対の支持バー２１Ｌ，２２Ｌは、側面板１０Ｌに対して、Ｙ軸と平行な連結軸２１Ｌ１，２２Ｌ１を回動中心として回動可能であり、側面板１０Ｃに対して、Ｙ軸と平行な連結軸２０Ｆ，２０Ｒを回動中心として回動可能である。連結軸２１Ｌ１と連結軸２２Ｌ１とは同軸である。また、連結軸２０Ｆと連結軸２０Ｒとは同軸である。同様に、一対の支持バー２１Ｒ，２２Ｒは、側面板１０Ｒに対して、Ｙ軸と平行な連結軸２１Ｒ１，２２Ｒ１（図１では側面板１０Ｃにより隠れている）を回動中心として回動可能であり、側面板１０Ｃに対して、Ｙ軸と平行な連結軸２０Ｆ，２０Ｒを回動中心として回動可能である。連結軸２１Ｒ１と連結軸２２Ｒ１とは同軸である。
【００３２】
中央の側面板１０Ｃに対して左側の一対の支持バー２１Ｌ，２２Ｌのうち前側に位置する左支持バー２１Ｌには、左支持バー２１Ｌの長手方向を長軸方向とし、Ｙ軸方向に貫通した長孔２５が形成されている。左支持バー２１Ｌには、ロック片４０が、左支持バー２１Ｌの長手方向に移動可能に設けられれている。
【００３３】
中央の側面板１０Ｃに対して右側の一対の支持バー２１Ｒ，２２Ｒのうち前側に位置する右支持バー２１Ｒの前側の面には凹部５０が形成されている。
【００３４】
ロック片４０及び凹部５０の周辺の構成を図２〜図４に示す。図２は前側から見た分解斜視図、図３は前側から見た部分拡大分解斜視図、図４は後側から見た部分拡大分解斜視図である。
【００３５】
図２及び図３に示すように、ロック片４０は、その前側の面に、略直方体形状の突起（以下「直方体状突起」という）４７を備える。直方体状突起４７は左支持バー２１Ｌの長孔２５内に嵌入される。左支持バー２１Ｌの長手方向に対して平行な直方体状突起４７の２つの側面４７ａが、左支持バー２１Ｌの長孔２５のその長手方向に平行な２つの内壁面２５ａ上を摺動する。
【００３６】
また、図３に示すように、右支持バー２１Ｒの凹部５０を形成するＹ軸に平行な側面は、第１当接面５１、第２当接面５２、及び第３当接面５３を含む。第１当接面５１とこれより右支持バー２１Ｒの端辺側に配置された第２当接面５２とは鋭角で交差して係合部５５を形成している。第１当接面５１は右支持バー２１Ｒの長手方向と略平行である。第２当接面５２及び第３当接面５３は右支持バー２１Ｒの長手方向に対して傾斜している。
【００３７】
図４に示すように、ロック片４０は、その後側の面に、略三角柱形状の突起（以下「三角柱状突起」という）４５を備える。三角柱状突起４５は、左支持バー２１Ｌの長手方向に対して平行な第１側面４１と、左支持バー２１Ｌの長手方向に対して傾斜した第２側面４２及び第３側面４３とを備える。第１，第２，及び第３側面４１，４２，４３はＹ軸と平行である。第１側面４１と第２側面４２とは鋭角で交差してロック爪４４を形成している。
【００３８】
図１において、Ｘ軸方向に延びた漏斗保持台７０が、３つの側面板１０Ｌ，１０Ｃ，１０Ｒ上に支持されている。漏斗保持台７０には、医療用バッグ懸吊台３０に吊り下げられた医療用バッグに液状物を注入する際に使用する漏斗を挿入して保持する４つの貫通孔７１が形成されている。
【００３９】
漏斗保持台７０のＸ軸方向の両端と一対の側面板１０Ｌ，１０Ｒとは回動機構及び上下方向案内機構を介して連結されている。
【００４０】
図５及び図６は、側面板１０Ｌに設けられる回動機構及び上下方向案内機構の分解斜視図である。図５は前側から見た斜視図であり、図６は後側から見た斜視図である。ここでは側面板１０Ｌ側に設けられる回動機構及び上下方向案内機構を説明するが、側面板１０Ｒ側にもこれと同様の回動機構及び上下方向案内機構が設けられる。
【００４１】
側面板１０Ｌに設けられた一対の孔１１ａ，１１ｂと、一対の第１リンク８１，８２の各一端に設けられた貫通孔８１ａ，８２ａとに、それぞれ図示しないピンが挿入されて、側面板１０Ｌと一対の第１リンク８１，８２とが回動可能に連結される。一対の第１リンク８１，８２の各他端に設けられた貫通孔８１ｂ，８２ｂと、第２リンク９０の一対の孔９０ａ，９０ｂとに、それぞれ図示しないピンが挿入されて、一対の第１リンク８１，８２と第２リンク９０とが回動可能に連結される。第１リンク８１の両端の貫通孔８１ａ，８１ｂの中心間隔と、第１リンク８２の両端の貫通孔８２ａ，８２ｂの中心間隔とは同一寸法である。側面板１０Ｌに設けられた一対の孔１１ａ，１１ｂの中心間隔と第２リンク９０の一対の孔９０ａ，９０ｂの中心間隔とは同一寸法である。側面板１０Ｌに対して一対の第１リンク８１，８２は回動可能に連結されており、一対の第１リンク８１，８２のそれぞれに対して第２リンク９０は回動可能に連結されている。かくして、側面板１０Ｌと、一対の第１リンク８１，８２と、第２リンク９０とにより平行リンク機構が構成される。側面板１０Ｌと一対の第１リンク８１，８２との間の２つの回動中心、及び第２リンク９０と一対の第１リンク８１，８２との間の２つの回動中心は平行リンク機構の４つのジョイントを構成する。側面板１０Ｌ上の一対の孔１１ａ，１１ｂはＺ軸と平行な一直線上に設けられているので、この平行リンク機構は、第２リンク９０の一対の孔（即ち、第２リンク９０に設けられた一対のジョイント）９０ａ，９０ｂを結ぶ方向が常にＺ軸と平行になるように維持したまま、第２リンク９０を側面板１０Ｌに対して回動させる。漏斗保持台７０のＸ軸方向端に摺動板１００が連結されており、摺動板１００と第２リンク９０とは後述する上下方向案内機構を介して連結されている。従って、上述の平行リンク機構は、ＹＺ面と平行な面内にて漏斗保持台７０を回動させる回動機構を構成する。
【００４２】
漏斗保持台７０は、Ｘ軸方向の中央に配置された保持台結合部材７０Ｃと、保持台結合部材７０Ｃに対してＸ軸方向の左側に配置された左保持台片７０Ｌと、保持台結合部材７０Ｃに対してＸ軸方向の右側に配置された右保持台片７０Ｒとが結合されて構成されている。保持台結合部材７０Ｃに対して、左保持台片７０ＬはＹ軸と平行な連結軸７０Ｌ２を回動中心として回動可能であり、右保持台片７０ＲはＹ軸と平行な連結軸７０Ｒ２を回動中心として回動可能である。
【００４３】
左保持台片７０Ｌの左側端に形成された連結用突起７３が、摺動板１００の連結用切り欠き１０４に嵌入され、これらの嵌合部分にＹ軸方向に平行なピン（図示せず）が貫通される。これにより、左保持台片７０Ｌは摺動板１００に対して、Ｙ軸に平行なこのピンに沿った連結軸（図示せず）を回動中心として回動可能に連結される。摺動板１００の上端からＺ軸と平行に下方に向かって所定深さの摺動溝１０５が切り欠き状に形成されている。摺動溝１０５のＹ軸方向に対向する２側面には平滑な一対の第１摺動面１０１がＺ軸と平行に延設されている。摺動板１００の摺動溝１０５内に第２リンク９０が挿入される。第２リンク９０のＹ軸方向と交差する両端面には、平滑な一対の第１案内面９１が、一対の孔９０ａ，９０ｂを結ぶ方向と平行に延設されている。第２リンク９０が回動機構により回動されても、一対の第１案内面９１は常にＺ軸と平行である。摺動板１００の一対の第１摺動面１０１は、第２リンク９０のこの一対の第１案内面９１上を摺動することができる。従って、摺動板１００及びこれに連結された漏斗保持台７０は、第２リンク９０の一対の第１案内面９１によりＺ軸方向に案内される。かくして、漏斗保持台７０をＺ軸方向に案内する上下方向案内機構は、第２リンク９０の一対の第１案内面９１及び摺動板１００の一対の第１摺動面１０１を含む。
【００４４】
摺動板１００の後側の側面には平滑な第２摺動面１０２がＺ軸と平行に延設されている。また、側面板１０Ｌの上端には、平滑な第２案内面１２がＺ軸と平行に延設されている。漏斗保持台７０が医療用バッグ懸吊台３０の上方に位置するとき（即ち、漏斗保持台７０が後述する第２回動位置にあるとき）、側面板１０Ｌの第２案内面１２上を摺動板１００の第２摺動面１０２が摺動することができる。従って、摺動板１００及びこれに連結された漏斗保持台７０は、側面板１０Ｌの第２案内面１２によりＺ軸方向に案内される。かくして、漏斗保持台７０をＺ軸方向に案内する上下方向案内機構は、側面板１０Ｌの第２案内面１２及び摺動板１００の第２摺動面１０２を更に含む。
【００４５】
側面板１０Ｌの上端の、後側端から医療用バッグ懸吊台３０が固定された位置近傍に至る範囲に、支持案内面１３が形成されている。支持案内面１３の途中には切り欠き１４が形成されている。切り欠き１４を挟んで後側の支持案内面１３ａ及び前側の支持案内面１３ｂは、それぞれＹ軸方向において後側端が最も低く、これから前側にいくにしたがって徐々に高くなるような、回動機構の回動中心近傍（即ち、孔１１ａ，１１ｂ近傍）を中心とする略円弧状の滑らかな曲面である。切り欠き１４の近傍において後側の支持案内面１３ａが前側の支持案内面１３ｂよりも高くなるように、切り欠き１４を挟む支持案内面１３ａ，１３ｂ間に段差が形成されている。
【００４６】
摺動板１００の下端には、滑らかな曲面からなる第３摺動面１０３が形成されている。漏斗保持台７０が上述した回動機構によって回動されるとき、側面板１０Ｌの支持案内面１３上を漏斗保持台７０に連結された摺動板１００の第３摺動面１０３が案内され摺動される。漏斗保持台７０及び摺動板１００の重量は、後述する第２回動位置にある場合を除いて側面板１０Ｌの支持案内面１３によって常に支持されており、漏斗保持台７０が上述した回動機構によって回動されるとき、漏斗保持台７０に連結された摺動板１００は第２リンク９０に対して必要に応じてＺ軸方向に自由に移動する。
【００４７】
摺動板１００にはＸ軸方向の外側に向かって突出した把持突起１０６が設けられている。
【００４８】
詳細な説明を省略するが、側面板１０Ｒ側に設けられる回動機構及び上下方向案内機構は上述した側面板１０Ｌ側に設けられる回動機構及び上下方向案内機構と面対称な構成を有している。右保持台片７０Ｒは摺動板１００に対して、Ｙ軸に平行な連結軸（図示せず）を回動中心として回動可能に連結されている。
【００４９】
保持台結合部材７０Ｃには、摺動板１００に設けられた第２摺動面１０２及び第３摺動面１０３と同様に機能する第２摺動面１０２及び第３摺動面１０３が設けられている。また、Ｘ軸方向の中央に配置される側面板１０Ｃの上端には、両外側の側面板１０Ｌ，１０Ｒに設けられた第２案内面１２、支持案内面１３、及び、切り欠き１４と同様に機能する第２案内面１２、支持案内面１３、及び、切り欠き１４が設けられている。
【００５０】
中央の側面板１０Ｃには、医療用バッグ架台１を持ち上げる際に把持する略Ｌ字状の把持アーム１５が設けられている。
【００５１】
本実施形態の医療用バッグ架台１は、把持アーム１５を把持して上方に持ち上げると、Ｙ軸方向寸法が小さくなるように折り畳むことができる。この動作を以下に説明する。
【００５２】
把持アーム１５を上方に持ち上げると、図７に示すように把持アーム１５が取り付けられた中央の側面板１０Ｃが持ち上げられる。その結果、医療用バッグ懸吊台３０を構成する左懸吊台片３０Ｌは連結軸３０Ｌ２を回動中心として、また、右懸吊台片３０Ｒは連結軸３０Ｒ２を回動中心として、それぞれ互いに重なり合うように回動する。同様に、漏斗保持台７０を構成する左保持台片７０Ｌは連結軸７０Ｌ２を回動中心として、また、右保持台片７０Ｒは連結軸７０Ｒ２を回動中心として、それぞれ互いに重なり合うように回動する。更に、一対の支持バー２１Ｌ，２２Ｌ及び一対の支持バー２１Ｒ，２２Ｒが連結軸２０Ｆ，２０Ｒを回動中心として、互いに接近するように回動する。これに伴い、左側の側面板１０Ｌに対して、左懸吊台片３０Ｌが連結軸３０Ｌ１を回動中心として、一対の支持バー２１Ｌ，２２Ｌが連結軸２１Ｌ１，２２Ｌ１を回動中心として、それぞれ回動し、右側の側面板１０Ｒに対して、右懸吊台片３０Ｒが連結軸３０Ｒ１を回動中心として、一対の支持バー２１Ｒ，２２Ｒが連結軸２１Ｒ１，２２Ｒ１を回動中心として、それぞれ回動する。更に、左側の摺動板１００に対して左保持台片７０Ｌが両者間の連結軸を回動中心として回動し、右側の摺動板１００に対して右保持台片７０Ｒが両者間の連結軸を回動中心として回動する。上記の各部材の回動は、重力により自動的に行われる。
【００５３】
更に把持アーム１５を持ち上げると、図８に示すように、左側の側面板１０Ｌと左懸吊台片３０Ｌと左保持台片７０Ｌとがほぼ同一平面をなし、右側の側面板１０Ｒと右懸吊台片３０Ｒと右保持台片７０Ｒとがほぼ同一平面をなし、左懸吊台片３０Ｌと右懸吊台片３０Ｒとが、また、左保持台片７０Ｌと右保持台片７０Ｒとが、側面板１０Ｃを挟んでそれぞれ互いに重なり合う。このようにして、医療用バッグ架台１は、Ｙ軸方向寸法が薄くなるように折り畳まれる。
【００５４】
医療用バッグ架台１が図８のように折り畳まれた時、ロック片４０と係合部５５を含むロック機構が自動的に動作する。ロック機構の動作を以下に説明する。
【００５５】
図９Ａは、医療用バッグ架台１が完全に折り畳まれる直前のロック機構周辺を後側から見た背面図である。この状態では、左支持バー２１Ｌに保持されたロック片４０は、その自重により長孔２５の下端に位置している。
【００５６】
医療用バッグ架台１の折り畳みが進行すると、連結軸２０Ｆ，２０Ｒを回動中心として左支持バー２１Ｌと右支持バー２１ＲとがＹ軸方向に互いに重なり合うように回動する。そして、図９Ｂに示されるように、ロック片４０の略三角柱状突起４５の第２側面４２が、右支持バー２１Ｒの第２当接面５２に当接する。この状態から医療用バッグ架台１の折り畳みが更に進行すると、ロック片４０の第２側面４２が右支持バー２１Ｒの第２当接面５２上を摺動し、第２当接面５２によってロック片４０が重力に反して上方向（矢印２０１の方向）に持ち上げられる。
【００５７】
そして、ロック片４０のロック爪４４が右支持バー２１Ｒの係合部５５を乗り越えると、ロック片４０はその自重により下方に落下する。その結果、図９Ｃに示すように、ロック爪４４と係合部５５とが係合し、ロック機構によるロック動作が完了する。この状態では、ロック片４０の第１側面４１と右支持バー２１Ｒの第１当接面５１とが面接触している。従って、両者の摩擦抵抗が、ロック片４０が連結軸２０Ｆ側に移動してロック機構によるロック状態が解除されるのを防止している。
【００５８】
このように、本実施形態の医療用バッグ架台１は、把持アーム１５を上方に持ち上げると、重力を利用して自動的に折り畳まれる。そして、図８に示すように折り畳みが完了すると、ロック機構によるロック動作が重力を利用して自動的に行われ、医療用バッグ架台１が折り畳まれた状態から意図せずに展開するのが防止される。
【００５９】
図８に示すように折り畳まれた医療用バッグ架台１を、図１に示す使用状態に展開する方法を以下に説明する。
【００６０】
図８の状態において、左支持バー２１Ｌの前面に露出したロック片４０を上方向（連結軸２０Ｆに近づく方向）に移動させる。即ち、図１０に示すように、ロック片４０を矢印２０２の方向に移動させる。この結果、ロック片４０のロック爪４４と右支持バー２１Ｒの係合部５５との係合状態が解消され、ロック機構によるロックが解除される。これとほぼ同時に、ロック片４０の略三角柱状突起４５の第３側面４３が右支持バー２１Ｒの第３当接面５３に当接する。ロック片４０を更に矢印２０２方向に移動させると、右支持バー２１Ｒの第３当接面５３はロック片４０の第３側面４３から押力Ｆを受け、そのＸ軸方向成分Ｆｘにより左支持バー２１Ｌ及び右支持バー２１Ｒは、連結軸２０Ｆ，２０Ｒを回動中心として、互いに離間する方向に回動する。同時に、医療用バッグ懸吊台３０を構成する左懸吊台片３０Ｌは連結軸３０Ｌ２を回動中心として、また、右懸吊台片３０Ｒは連結軸３０Ｒ２を回動中心として、それぞれ互いに離間するように回動する。同様に、漏斗保持台７０を構成する左保持台片７０Ｌは連結軸７０Ｌ２を回動中心として、また、右保持台片７０Ｒは連結軸７０Ｒ２を回動中心として、それぞれ互いに離間するように回動する。その結果、医療用バッグ架台１は、図８のように折り畳まれた状態から僅かに展開される。従って、例えば、図８の状態から僅かに拡大した側面板１０Ｌと側面板１０Ｒとの間の隙間に指を入れるなどして、医療用バッグ架台１を図１の状態に容易に展開することができる。
【００６１】
このように、本実施形態のロック機構は、医療用バッグ架台１の折り畳み状態が維持されるようにロックする機能のみならず、折り畳まれた医療用バッグ架台１の展開を補助する機能をも有している。
【００６２】
次に、図１のように展開された本実施形態の医療用バッグ架台１の使用方法及び動作を説明する。
【００６３】
初期状態では、図１に示すように、回動機構により漏斗保持台７０は最も後側に回動されている。漏斗保持台７０のこの回動位置を「第１回動位置」と呼ぶ。ここで、漏斗保持台７０の「回動位置」とは、回動中心に対する角度、即ち回動機構を構成する一対の第１リンク８１，８２の傾きにより判断し、漏斗保持台７０の高さや回動中心からの距離の違いは考慮しない。
【００６４】
漏斗保持台７０が第１回動位置にあるときに、図１１Ａ及び図１１Ｂに示すように、例えば図１６に示した空の医療用バッグ９００を医療用バッグ懸吊台３０の切り欠き３１に挿入して医療用バッグ懸吊台３０に吊り下げる。医療用バッグ９００のポート９２０の外周に形成された突出した環状の鍔９２２を、切り欠き３１の周縁で支持することにより、図１１Ａ及び図１１Ｂに示すように、液状物を注入するためのポート９２０を上方に向けた状態で医療用バッグ９００を吊り下げることができる。ここでは、医療用バッグとしては図１６に示した医療用バッグ９００を用いる例を示したが、これ以外の医療用バッグであっても良い。使用する医療用バッグの形状に応じて、医療用バッグ懸吊台３０に形成される切り欠き３１の形状が設定されることが好ましい。医療用バッグ懸吊台３０の凹部３２には、吊り下げられた医療用バッグ９００のポート９２０に取り付けるキャップを載置することができる。
【００６５】
また、図１１Ａ及び図１１Ｂに示すように、漏斗９５０を漏斗保持台７０の貫通孔７１に挿入して漏斗保持台７０に保持させる。漏斗９５０が安定して保持されるように、貫通孔７１の周縁の形状は使用する漏斗９５０の形状に沿うように形成されていることが好ましい。
【００６６】
次に、摺動板１００の把持突起１０６を把持して漏斗保持台７０を前方向に引き寄せる。このとき、回動機構を構成する一対の第１リンク８１，８２がその貫通孔８１ａ，８２ａを中心としてそれぞれ回動し、漏斗保持台７０に連結された摺動板１００及び保持台結合部材７０Ｃの各第３摺動面１０３が側面板１０Ｌ，１０Ｃ，１０Ｒの各支持案内面１３上を摺動する。漏斗保持台７０のＺ軸方向における位置は支持案内面１３のＺ軸方向の高さ変化に依存する。
【００６７】
漏斗保持台７０が前方向に移動するにしたがって、支持案内面１３の高さ変化に応じて漏斗保持台７０が徐々に上昇する。そして、摺動板１００及び保持台結合部材７０Ｃの各第３摺動面１０３が、支持案内面１３に形成された切り欠き１４を超えて、遂に支持案内面１３の前側端に到達する（図１２Ａ、図１２Ｂ）。漏斗保持台７０のこの回動位置を「第２回動位置」と呼ぶ。第２回動位置にある漏斗保持台７０は、医療用バッグ懸吊台３０の上方に位置している。
【００６８】
第２回動位置に到達すると、漏斗保持台７０は、支持案内面１３による支持を失い、重力より下方に落下する。この際、摺動板１００の第１摺動面１０１が第２リンク９０の第１案内面９１によりＺ軸方向に案内され、且つ、摺動板１００及び保持台結合部材７０Ｃの第２摺動面１０２が側面板１０Ｌ，１０Ｃ，１０Ｒの第２案内面１２によりＺ軸方向に案内される（図５、図６参照）。従って、摺動板１００及びこれに連結された漏斗保持台７０は滑らかに下方に落下することができる。
【００６９】
第２回動位置にて下方に落下した漏斗保持台７０及び摺動板１００の重量は、図１３Ａ及び図１３Ｂに示すように、摺動板１００及び保持台結合部材７０Ｃの各下端が医療用バッグ懸吊台３０の上面に当接することで支持される。
【００７０】
漏斗保持台７０が第２回動位置にて下方に落下すると、図１３Ａ及び図１３Ｂに示すように、漏斗保持台７０に保持された漏斗９５０の下端が医療用バッグ懸吊台３０に吊り下げられた医療用バッグ９００のポート９２０の貫通孔９２１（図１６参照）内に挿入される。この状態で、各漏斗９５０内に液状物を順に注ぎ込み、医療用バッグ９００内に液状物を注入する。
【００７１】
漏斗９５０は漏斗保持台７０により保持されており、且つ、医療用バッグ９００は医療用バッグ懸吊台３０により吊り下げられているので、液状物の注入作業中に作業者が漏斗９５０及び医療用バッグ９００に手を触れる必要がない。従って、作業者は、注入しようとする液状物が入れられた容器を両手でしっかりと保持することができるので、液状物の注入作業を安定して行うことができる。また、漏斗保持台７０に保持された複数の漏斗９５０に順に液状物を注入することができるので、複数の医療用バッグ９００に効率よく液状物を注入することができる。あるいは、注入しようとする液状物を入れた容器から分岐した複数のチューブの末端を複数の漏斗９５０内にそれぞれ差し込めば、この複数のチューブを介して複数の医療用バッグ９００に同時に液状物を注入することができ、液状物の注入作業が更に効率化する。また、１つの医療用バッグ９００の容量に対応した量の液状物が容器内に収納されている場合には、個々の漏斗９５０上に開栓した容器を載置した状態で放置して別の作業を行うことが可能であり、作業効率が向上する。
【００７２】
医療用バッグ９００への液状物の注入が完了すると、摺動板１００の把持突起１０６を把持して漏斗保持台７０を上方に持ち上げる。この際、摺動板１００の第１摺動面１０１が第２リンク９０の第１案内面９１によりＺ軸方向に案内され、且つ、摺動板１００及び保持台結合部材７０Ｃの第２摺動面１０２が側面板１０Ｌ，１０Ｃ，１０Ｒの第２案内面１２によりＺ軸方向に案内される。
【００７３】
摺動板１０５の摺動溝１０５の下端１０５ａ（図５、図６参照）が第２リンク９０の下端に当接することにより、漏斗保持台７０及び摺動板１００の上方向への移動が制限されるので、第２リンク９０に対して摺動板１０５及びこれに連結された漏斗保持台７０が上方向に抜き取られてしまうのが防止される。
【００７４】
その後、漏斗保持台７０及び摺動板１００の重量を側面板１０Ｌ，１０Ｃ，１０Ｒの各支持案内面１３で支持させて、漏斗保持台７０に連結された摺動板１００及び保持台結合部材７０Ｃの各第３摺動面１０３を側面板１０Ｌ，１０Ｃ，１０Ｒの各支持案内面１３上で摺動させながら、漏斗保持台７０を後側に移動させて、医療用バッグ懸吊台３０の上方から退避させる。
【００７５】
漏斗保持台７０を、支持案内面１３に形成された切り欠き１４を超えて更に後側に移動させることにより、図１１Ａ及び図１１Ｂに示す第１回動位置に戻る。この状態にて、医療用バッグ懸吊台３０に吊り下げられた、液状物が注入された医療用バッグ９００のポート９２０に凹部３２に載置されていたキャップを取り付けてその貫通孔９２１（図１６参照）を塞ぎ、医療用バッグ９００を医療用バッグ懸吊台３０から取り外す。また、漏斗保持台７０に搭載された漏斗９５０を取り除く。かくして医療用バッグ架台は図１に示す初期状態となる。以下、必要に応じて上記の動作を繰り返すことにより、更に多くの医療用バッグ９００に液状物を注入することができる。
【００７６】
上記において、漏斗保持台７０を第１回動位置まで戻すのではなく、図１４Ａ及び図１４Ｂに示すように、漏斗保持台７０に連結された摺動板１００及び保持台結合部材７０Ｃの下端を支持案内面１３に形成された切り欠き１４で係止しても良い。上述したように、切り欠き１４の近傍において後側の支持案内面１３ａが前側の支持案内面１３ｂよりも高いので、摺動板１００及び保持台結合部材７０Ｃの下端が切り欠き１４で係止され、漏斗保持台７０が重力により第１回動位置側に移動することがない。漏斗保持台７０のこの回動位置を「第３回動位置」と呼ぶ。
【００７７】
この第３回動位置では、漏斗保持台７０は医療用バッグ懸吊台３０の上方から後側に退避している。従って、この状態で医療用バッグ９００の交換をすることができる。即ち、医療用バッグ懸吊台３０に吊り下げられた、液状物が注入された医療用バッグ９００のポート９２０にキャップを取り付けてその貫通孔９２１（図１６参照）を塞ぎ、医療用バッグ９００を医療用バッグ懸吊台３０から取り外す。そして、新たな空の医療用バッグ９００を医療用バッグ懸吊台３０に吊り下げる。その後、漏斗保持台７０を第２回動位置に戻し（図１２Ａ及び図１２Ｂ）、下方に移動させる（図１３Ａ及び図１３Ｂ）。そして、上記と同様にして漏斗９５０を介して医療用バッグ９００内に液状物を注入する。以下、必要に応じてこの動作を繰り返しても良い。
【００７８】
多くの医療用バッグ９００に液状物を繰り返して連続して注入する場合には、上記のように、漏斗保持台７０を第１回動位置と第２回動位置との間で往復させるのではなく、第２回動位置と第３回動位置との間で往復させることが好ましい。これにより、漏斗保持台７０の移動量を少なくすることができるので、液状物の注入作業を効率良く行うことが出来る。
【００７９】
以上のように、本実施形態の医療用バッグ架台１は、漏斗保持台７０を上下方向に案内する上下方向案内機構を備えている。従って、漏斗保持台７０に複数の漏斗９５０を保持させておき、且つ、医療用バッグ懸吊台３０にこれと同数の医療用バッグ９００を吊り下げておけば、複数の漏斗９５０を複数の医療用バッグ９００のポート９２０に対して一括して挿入し、抜き取ることができるので、作業効率が向上する。
【００８０】
また、漏斗保持台７０を回動させる回動機構を備えているので、漏斗９５０を医療用バッグ９００の上方から退避させることができる。従って、医療用バッグ懸吊台３０に対する医療用バッグ９００の取り付け及び取り外し作業や、医療用バッグ９００のポート９２０へのキャップの取り付け作業を容易に行うことが出来る。
【００８１】
更に、本実施形態の医療用バッグ架台１では、上下方向案内機構と回動機構とを工夫することにより、漏斗保持台７０の回動運動と上下方向運動とを連続して滑らかに行うことが出来る。
【００８２】
また、本実施形態の医療用バッグ架台を用いれば、漏斗９５０を漏斗保持台７０に保持させ、且つ、医療用バッグ９００を医療用バッグ懸吊台３０に吊り下げておくことができるので、漏斗９５０の挿入、液状物の注入、漏斗９５０の抜き取り、キャップの取り付けという一連の作業を必要に応じて途中で中断することができる。従って、作業者に対する精神的及び肉体的な負担を軽減することが出来る。
【００８３】
上記の実施形態では、一対の第１リンク８１，８２の形状を工夫することにより、漏斗保持台７０が上下方向案内機構によりＺ軸方向に移動可能な位置（即ち第２回動位置）にあるとき、回動機構を構成する平行リンクの４つのジョイント（即ち、一対の第１リンク８１，８２の貫通孔８１ａ，８２ａ，８１ｂ，８２ｂ）がＺ軸と平行な一直線上に配置される。これにより、医療用バッグ架台１のＹ軸方向の寸法を小さくすることができる。
【００８４】
もちろん、側面板１０Ｌ，１０Ｒに対する一対の第１リンク８１，８２の回動中心である貫通孔８１ａ，８２ａに対して貫通孔８１ｂ，８２ｂがＹ軸方向において後側にあるときに、漏斗保持台７０がＺ軸方向に移動可能となるように設計することも可能である。但し、この場合、医療用バッグ架台１のＹ軸方向の寸法が増大してしまう。
【００８５】
また、上記の実施形態では、漏斗保持台７０を第１回動位置から第２回動位置に向かって回動させると、第２回動位置にて回動機構を構成する一対の第１リンク８１，８２が互いに当接するので、漏斗保持台７０をこれより更に前側に回動させることが出来ない。このように、漏斗保持台７０の回動範囲を制限する回動制限機構を設けることにより、漏斗保持台７０を決められた第２回動位置にて下降させることが出来るので、漏斗保持台７０を下降させると、漏斗保持台７０に保持された漏斗９５０の下端を医療用バッグ懸吊台３０に吊り下げられた医療用バッグ９００のポート９２０の貫通孔９２１内に常に安定して挿入することが出来る。本実施形態では、第２回動位置での漏斗保持台７０の回動方向の位置は、第１回動位置とは反対側には上記の回動制限機構により規制され、第１回動位置側には摺動板１００及び保持台結合部材７０Ｃの第２摺動面１０２が側面板１０Ｌ，１０Ｃ，１０Ｒの第２案内面１２上を摺動することにより規制される。従って、漏斗保持台７０を下降させると、漏斗９５０の下端を医療用バッグ９００のポート９２０の貫通孔９２１内に常に安定して挿入することが出来る。また、漏斗を保持した漏斗保持台７０が第２回動位置よりも更に前側に回動することにより医療用バッグ架台１が前側に転倒するのを防止することもできる。
【００８６】
上述した実施形態は一例に過ぎず、本発明はこの実施形態に限定されない。
【００８７】
例えば、上記の実施形態では、重力を利用してロック片４０を下降させることでロック機構によるロックが行われたが、本発明はこれに限定されない。例えば、ロック片４０が連結軸２０Ｆから遠ざかる向きに付勢されていても良い。これにより、例えば図８のように折り畳まれた医療用バッグ架台１の向きにかかわらず、あるいは衝撃が加えられても、ロック機構によるロック状態が解除されにくくすることができる。ロック片４０にこのような付勢力を付与するための方法は特に制限はなく、例えばバネなどの弾性部材や磁石を利用することができる。
【００８８】
上記の実施形態では、左支持バー２１Ｌに設けたロック片４０と右支持バー２１Ｒに設けた係合部５５とからなるロック機構を用いたが、本発明のロック機構は、医療用バッグ架台が折り畳まれた時に展開しないようにロックすることができれば、これに限定されない。例えば、ロック動作及びその解除動作が、部材が摺動することにより行われるロック機構ではなく、部材が弾性変形することにより行われるロック機構であっても良い。また、ロック機構が設けられる位置は一対の支持バー２１Ｌ，２１Ｒに限定されず、側面板１０Ｌ，１０Ｃ，１０Ｒ、懸吊台片３０Ｌ，３０Ｒ、及び保持台片７０Ｌ，７０Ｒ等のうちの１つ又は２以上であっても良い。
【００８９】
上記の実施形態では、漏斗保持台７０を第１回動位置と第２回動位置との間の第３回動位置で静止させるために、支持案内面１３に切り欠き１４を形成したが、本発明はこれに限定されず、支持案内面１３を、切り欠き１４が形成されていない連続した滑らかな曲面としても良い。
【００９０】
上記の実施形態では、医療用バッグ懸吊台３０に４つの医療用バッグ９００を吊り下げることができ、漏斗保持台７０に４つの漏斗９５０を保持できる医療用バッグ架台を示したが、医療用バッグ懸吊台３０に吊り下げることができる医療用バッグ９００の数Ｎ１、及び漏斗保持台７０に保持できる漏斗９５０の数Ｎ２は４つに限定されない。Ｎ１及びＮ２は、同数であれば良く、３以下又は５以上であっても良い。医療用バッグ懸吊台３０に複数の医療用バッグ９００を吊り下げることにより、複数の医療用バッグ９００に効率よく液状物を注入することができる。
【００９１】
上記の実施形態では、３つの側面板１０Ｌ，１０Ｃ，１０Ｒを有し、２つの懸吊台片を有する医療用バッグ懸吊台がＹ軸に沿って見たときΛ字状に折り畳まれる医療用バッグ架台を示したが、本発明はこれに限定されず、側面板の数は４以上であっても良く、医療用バッグ懸吊台は３以上の懸吊台片を有していても良い。例えば、５つの側面板を有し、医療用バッグ懸吊台が４つの懸吊台片を有する場合、Ｙ軸に沿って見たとき医療用バッグ懸吊台がＭ字状、Ｗ字状、Ｖ字状、又はΛ字状等に折り畳まれても良い。
【００９２】
上記の実施形態では、漏斗保持台７０及び摺動板１００の重量を複数の側面板のすべての上端の支持案内面１３が支持していたが、複数の側面板の一部のみで支持しても良い。
【００９３】
上記の実施形態に示した医療用バッグ架台１は、漏斗を保持する漏斗保持台７０と、この漏斗保持台７０を回動させる回動機構及び上下方向に案内する上下方向案内機構とを備えていたが、本発明はこれらを備えていない例えば図１５に示すような医療用バッグ架台２にも適用できる。図１５において図１と同じ構成部材には同一の符号を付している。この医療用バッグ架台２では、図１の医療用バッグ架台１と同様に、医療用バッグ９００を医療用バッグ懸吊台３０に吊り下げて、必要に応じて医療用バッグ９００のポート９２０の貫通孔９２１（図１６参照）に漏斗を挿入して、医療用バッグ９００に液状物を注入する。この場合も、作業者は、注入しようとする液状物が入れられた容器を両手でしっかりと保持することができるので、液状物の注入作業を安定して行うことができる。医療用バッグ架台２の折り畳みは、図１の医療用バッグ架台１と同様に把持アーム１５を上方に持ち上げることにより重力を利用して行うことが出来る。
【産業上の利用可能性】
【００９４】
本発明の利用分野は特に制限はなく、経腸栄養法や静脈栄養法で使用される液状物を空の医療用バッグに分注する際に使用する医療用バッグ架台として広く利用することが出来る。
【図面の簡単な説明】
【００９５】
【図１】図１は、本発明の一実施形態に係る医療用バッグ架台の概略構成を示した斜視図である。
【図２】図２は、本発明の一実施形態に係る医療用バッグ架台において、ロック機構の概略構成を斜め前方から見た分解斜視図である。
【図３】図３は、本発明の一実施形態に係る医療用バッグ架台において、ロック機構の概略構成を斜め前方から見た部分拡大分解斜視図である。
【図４】図４は、本発明の一実施形態に係る医療用バッグ架台において、ロック機構の概略構成を斜め後方から見た部分拡大分解斜視図である。
【図５】図５は、本発明の一実施形態に係る医療用バッグ架台において、回動機構及び上下方向案内機構の概略構成を斜め前方から見た分解斜視図である。
【図６】図６は、本発明の一実施形態に係る医療用バッグ架台において、回動機構及び上下方向案内機構の概略構成を斜め後方から見た分解斜視図である。
【図７】図７は、本発明の一実施形態に係る医療用バッグ架台を折り畳む過程を示した斜視図である。
【図８】図８は、折り畳まれた本発明の一実施形態に係る医療用バッグ架台を示した斜視図である。
【図９Ａ】図９Ａは、本発明の一実施形態に係る医療用バッグ架台において、ロック機構のロック動作を示した後側から見た部分拡大背面図である。
【図９Ｂ】図９Ｂは、本発明の一実施形態に係る医療用バッグ架台において、ロック機構のロック動作を示した後側から見た部分拡大背面図である。
【図９Ｃ】図９Ｃは、本発明の一実施形態に係る医療用バッグ架台において、ロック機構のロック動作を示した後側から見た部分拡大背面図である。
【図１０】図１０は、本発明の一実施形態に係る医療用バッグ架台において、ロック機構の解除動作を示した後側から見た部分拡大背面図である。
【図１１Ａ】図１１Ａは、漏斗保持台が第１回動位置にあり、医療用バッグ及び漏斗が搭載された本発明の一実施形態に係る医療用バッグ架台を斜め前方から見た斜視図である。
【図１１Ｂ】図１１Ｂは、漏斗保持台が第１回動位置にあり、医療用バッグ及び漏斗が搭載された本発明の一実施形態に係る医療用バッグ架台を斜め後方から見た斜視図である。
【図１２Ａ】図１２Ａは、漏斗保持台が第２回動位置にあり、医療用バッグ及び漏斗が搭載された本発明の一実施形態に係る医療用バッグ架台を斜め前方から見た斜視図である。
【図１２Ｂ】図１２Ｂは、漏斗保持台が第２回動位置にあり、医療用バッグ及び漏斗が搭載された本発明の一実施形態に係る医療用バッグ架台を斜め後方から見た斜視図である。
【図１３Ａ】図１３Ａは、漏斗保持台が第２回動位置にて下方に落下し、医療用バッグ及び漏斗が搭載された本発明の一実施形態に係る医療用バッグ架台を斜め前方から見た斜視図である。
【図１３Ｂ】図１３Ｂは、漏斗保持台が第２回動位置にて下方に落下し、医療用バッグ及び漏斗が搭載された本発明の一実施形態に係る医療用バッグ架台を斜め後方から見た斜視図である。
【図１４Ａ】図１４Ａは、漏斗保持台が第３回動位置にあり、医療用バッグ及び漏斗が搭載された本発明の一実施形態に係る医療用バッグ架台を斜め前方から見た斜視図である。
【図１４Ｂ】図１４Ｂは、漏斗保持台が第３回動位置にあり、医療用バッグ及び漏斗が搭載された本発明の一実施形態に係る医療用バッグ架台を斜め後方から見た斜視図である。
【図１５】図１５は、本発明の別の実施形態に係る医療用バッグ架台の概略構成を示した斜視図である。
【図１６】図１６は、従来の医療用バッグの一例の概略構成を示した正面図である。
【符号の説明】
【００９６】
１，２  医療用バッグ架台
１０Ｌ，１０Ｃ，１０Ｒ  側面板
１１ａ，１１ｂ  孔
１２  第２案内面
１３，１３ａ，１３ｂ  支持案内面
１４  切り欠き
１５  把持アーム
２０Ｆ，２０Ｒ  連結軸
２１Ｌ，２１Ｒ，２２Ｌ，２２Ｒ  支持バー
２１Ｌ１，２２Ｌ１，２１Ｒ１，２２Ｒ１  連結軸
２５  長孔
２５ａ  内壁面
３０  医療用バッグ懸吊台
３０Ｌ  左懸吊台片
３０Ｒ  右懸吊台片
３０Ｌ１，３０Ｌ２，３０Ｒ１，３０Ｒ２  連結軸
３１  切り欠き
３２  凹部
４０  ロック片
４１  第１側面
４２  第２側面
４３  第３側面
４４  ロック爪
４５  三角柱状突起
４７  直方体状突起
４７ａ  側面
５０  凹部
５１  第１当接面
５２  第２当接面
５３  第３当接面
５５  係合部
７０  漏斗保持台
７０Ｌ  左保持台片
７０Ｒ  右保持台片
７０Ｃ  保持台結合部材
７０Ｌ２，７０Ｒ２  連結軸
７１  貫通孔
７３  連結用突起
８１，８２  第１リンク
８１ａ，８２ａ，８１ｂ，８２ｂ  貫通孔
９０  第２リンク
９０ａ，９０ｂ  孔
９１  第１案内面
１００  摺動板
１０１  第１摺動面
１０２  第２摺動面
１０３  第３摺動面
１０４  連結用切り欠き
１０５  摺動溝
１０６  把持突起
９００  医療用バッグ
【図１】
2008173302.tif 000003
【図２】
2008173302.tif 000004
【図３】
2008173302.tif 000005
【図４】
2008173302.tif 000006
【図５】
2008173302.tif 000007
【図６】
2008173302.tif 000008
【図７】
2008173302.tif 000009
【図８】
2008173302.tif 000010
【図９Ａ】
2008173302.tif 000011
【図９Ｂ】
2008173302.tif 000012
【図９Ｃ】
2008173302.tif 000013
【図１０】
2008173302.tif 000014
【図１１Ａ】
2008173302.tif 000015
【図１１Ｂ】
2008173302.tif 000016
【図１２Ａ】
2008173302.tif 000017
【図１２Ｂ】
2008173302.tif 000018
【図１３Ａ】
2008173302.tif 000019
【図１３Ｂ】
2008173302.tif 000020
【図１４Ａ】
2008173302.tif 000021
【図１４Ｂ】
2008173302.tif 000022
【図１５】
2008173302.tif 000023
【図１６】
2008173302.tif 000024